(57)【要約】【課題】ＰＷＭ制御により負荷に供給する電流量を調整するものでありながらも、電流制御部に加わる電圧情報を用いて容易に駆動電圧を調整し、電流制御部における消費電力を極力小さくすることのできる電源装置を提供する。【解決手段】負荷の上流側に設けられて、負荷に駆動電圧を供給する電源部と、負荷の下流側に設けられて、電源部から負荷を介して、所定量に制御した電流を引き込む電流制御部とを備えており、上記電流制御部は、ＰＷＭ制御により、電流のデューティ比を調節するものであり、ＰＷＭ制御においてオンデューティとなっている時点での、負荷の下流側であって電流制御部の上流側における電圧値をサンプルホールドする、サンプルホールド部と、駆動電圧の値を、サンプルホールド部のホールド値に応じて調整する、電圧調整部と、をさらに備えた電源装置とする。【選択図】図１
2007129862.tif 000002
【特許請求の範囲】
【請求項１】
電気的負荷の上流側に設けられて、該負荷側に駆動電圧を供給する電源と、
上記負荷の下流側に設けられて、上記電源から上記負荷を介して、所定量に制御した電流を引き込む電流制御部とを備え、上記負荷に上記所定量の電流を供給する電源装置において、
上記電流制御部は、ＰＷＭ制御により、上記電流のデューティ比を調節するものであるとともに、
上記ＰＷＭ制御においてオンデューティとなっている時点での、上記負荷の下流側であって上記電流制御部の上流側における電圧値をサンプルホールドする、サンプルホールド部と、
上記駆動電圧の値を、上記サンプルホールド部のホールド値に応じて調整する、電圧調整部と、を備えたことを特徴とする電源装置。
【請求項２】
上記ＰＷＭ制御、および、上記サンプルホールド部によるサンプリングは、共通のＰＷＭ信号に応じて行われることを特徴とする請求項１に記載の電源装置。
【請求項３】
所定の基準電圧を発生させる基準電圧発生部と、
上記サンプルホールドされた値と上記基準電圧の値とを比較して、その比較結果に応じた信号を出力する比較部とを備え、
上記電圧調整部は、上記比較部の出力信号に応じて、上記駆動電圧の値を調整することを特徴とする請求項１または請求項２に記載の電源装置。
【請求項４】
上記駆動電圧を昇圧させる昇圧手段を、更に設けたことを特徴とする請求項１から請求項３の何れかに記載の電源装置。
【請求項５】
上記昇圧手段は、
所定の周期電圧の値と上記サンプルホールド部のホールド値との比較結果に応じてスイッチングするスイッチング素子と、
該スイッチング素子のターンオン時にエネルギーを蓄積し、ターンオフ時にエネルギーを放出するインダクタと、を備えたスイッチングレギュレータであることを特徴とする請求項４に記載の電源装置。
【請求項６】
上記電流制御部はカレントミラー回路を備え、
上記電流の引き込みは、上記カレントミラー回路の出力側トランジスタによりなされることを特徴とする請求項１から請求項５の何れかに記載の電源装置。
【請求項７】
請求項１から請求項６の何れかに記載の電源装置と、上記負荷としてのＬＥＤを備えたことを特徴とするＬＥＤ点灯装置。
【請求項８】
請求項７に記載のＬＥＤ点灯装置をバックライトとして用いたことを特徴とする、フィールドシーケンシャル方式による画像表示装置。
【発明の詳細な説明】
【技術分野】
【０００１】
本発明は、ＬＥＤ等の電気的負荷に電力を供給するための、電源装置に関するものである。
【背景技術】
【０００２】
従来、ＬＥＤ［Light Emitting Diode：発光ダイオード］等の電気的負荷へ電力を供給しつつも、その負荷に流す電流量を調整可能とした電源装置として、例えば図６に示すような装置が用いられていた。本装置では、ＰＷＭ［Pulse Width Modulation：パルス幅変調］制御によりＬＥＤに供給する電流のデューティ比を制御して、その輝度を調整することとしている。
【０００３】
本装置の構成について簡潔に説明する。本装置は図６に示すように、電源部１０１、電流制御部１０２等から成り、負荷であるＬＥＤ１０９に電力を供給するものである。
【０００４】
電源部１０１は、電池等の電源１１１が発生させる駆動電圧を、例えばチャージポンプ等によって電圧値を調整し、下流側に供給する。また電流制御部１０２は、ＰＷＭ信号を発生させ、このデューティ比に応じた電流を、電源部１０１からＬＥＤ１０９を介して引き込む。
【０００５】
このような構成により本装置は、電源部１０１の下流側（ＬＥＤのアノード側）に適切な電圧を印加するとともに、ＬＥＤ１０９のカソード側から電流を引き込むことで、ＬＥＤ１０９を発光させる。またＰＷＭ制御によりＬＥＤの輝度を調整する従来技術としては、他に特許文献１に記載の装置などが挙げられる。
【０００６】
ここで上述した電源装置において、電源部１０１の下流側（ＬＥＤ１０９のアノード側）の電圧をＶUP、ＬＥＤ１０９における電圧降下をＶｆ、電流制御部１０２の上流側（ＬＥＤ１０９のカソード側）の電圧をＶDOWNとそれぞれ定義し、電圧調整部の調整処理について着目する。
【０００７】
電流制御部１０２を駆動させるため、換言すれば、ＬＥＤ１０９側から所定量の電流を引き込むためには、ＶDOWNを少なくともある一定値以上としておく必要があるので、電源部１０１は、この条件を満足するように駆動電圧を供給する必要がある。すなわちＶDOWNにおけるこの一定値（最小値）をＶｃとすれば、電流制御部１０２を動作させるために、ＶUP≧Ｖｆ＋Ｖｃの条件を満たすように駆動電圧を供給する必要がある。
【０００８】
一方、ＶｆはＬＥＤ１０９の個体差、経時劣化、及び環境状態などによって、その値にバラツキが生じることがある。そこで従来技術では、このようなバラツキがあっても電流制御部１０２の駆動に支障がでないよう、ＶUPをやや高めの値に設定している。
【特許文献１】特開２００２−１１１７８６
【発明の開示】
【発明が解決しようとする課題】
【０００９】
ここで電流制御部１０２が引き込む電流の値をＩｃとすると、電流制御部１０２が消費する電力はＶDOWN×Ｉｃとなる。よって電流値が定まっている場合、ＶDOWNはできるだけ小さい方が、換言すれば、電流制御部１０２の駆動に支障の無い範囲での最小値であるＶｃに近い方が、電流制御部１０２における消費電力は小さくなり、電力損失が抑えられることになる。しかし上述した従来技術では、ＬＥＤのバラツキを考慮して駆動電圧を必要以上に高く設定しているから、その分ＶDOWNも必然的に高くなり、電流制御部１０２での電力損失が比較的大きくなっている。
【００１０】
このような問題に対して、ＶDOWNの情報をフィードバックして、ＶDOWNが常時Ｖｃに等しくなるように駆動電圧を調整することも考えられる。しかし電流制御部１０２はＰＷＭ制御により電流量を調整しているから、ＶDOWNもこれに伴って常時大きく変動している。そのため、電流制御部１０２で電力が消費されるのはＰＷＭ制御のオンデューティ時のみであるにも関わらず、オフデューティ時におけるＶDOWNの情報がフィードバックされて駆動電圧の調整がなされると、駆動電圧の値が非常に不安定となる。従って、ＶDOWNの情報をそのままフィードバックして駆動電圧を調整するのは困難を伴うことになる。
【００１１】
特にフィールドシーケンシャル方式による液晶表示装置のバックライトとして本装置を適用する場合は、各色（例えば赤・緑・青）のＬＥＤを各々６０〜１００Hz以上の頻度で点灯・消灯を繰り返す構成となっており、その中で輝度の調整を行うためにＰＷＭ周期は非常に短くなる。そのためＶDOWNの情報をそのままフィードバックして駆動電圧を調整するのは非常に困難となる。
【００１２】
そこで本発明は上記の問題点に鑑み、ＰＷＭ制御により負荷に供給する電流量を調整するものでありながらも、電流制御部に加わる電圧情報を用いて容易に駆動電圧を調整し、電流制御部における消費電力を極力小さくすることのできる電源装置を提供することを目的とする。
【課題を解決するための手段】
【００１３】
上記目的を達成するために、本発明に係る電源装置は、電気的負荷の上流側に設けられて、該負荷側に駆動電圧を供給する電源と、上記負荷の下流側に設けられて、上記電源部から上記負荷を介して、所定量に制御した電流を引き込む電流制御部とを備え、上記負荷に上記所定量の電流を供給する電源装置において、上記電流制御部は、ＰＷＭ制御により、上記電流のデューティ比を調節するものであるとともに、上記ＰＷＭ制御においてオンデューティとなっている時点での、上記負荷の下流側であって上記電流制御部の上流側における電圧値をサンプルホールドする、サンプルホールド部と、上記駆動電圧の値を、上記サンプルホールド部のホールド値に応じて調整する、電圧調整部と、を備えた構成（第１の構成）としている。
【００１４】
本構成によれば、常にＰＷＭ制御においてオンデューティとなっている時点（電流制御部で電力が消費されている時点）での、上記負荷の下流側であって上記電流制御部の上流側における電圧（ＶDOWN）値に応じて、駆動電圧の値が調整される。そのため、ＶDOWNが電流のＰＷＭ制御により常時変動しているにも関わらず、ＰＷＭ制御におけるオフデューティ時のＶDOWNの情報が、駆動電圧の調整に用いられることを回避することができる。その結果、ＰＷＭ制御により負荷に供給する電流量を調整するものでありながらも、電流制御部に加わる電圧情報を用いて容易に駆動電圧を調整し、電流制御部における消費電力を極力小さくすることが可能となる。
【００１５】
また上記第１の構成において、上記ＰＷＭ制御、および、上記サンプルホールド部によるサンプリングは、共通のＰＷＭ信号に応じて行われる構成（第２の構成）としても良い。
【００１６】
本構成によれば、ＰＷＭ制御とサンプリング処理は、共通のＰＷＭ信号に応じて行われるから、両者のタイミングを密接に関連させることができる。そのため、サンプリング処理を、ＰＷＭ制御においてオンデューティとなっている時点にて行なわせることが容易となり、ひいては、上記第１の構成内容を容易に実現できる。
【００１７】
また上記第１または第２の構成において、所定の基準電圧を発生させる基準電圧発生部と、上記サンプルホールドされた値と、上記基準電圧の値とを比較して、その比較結果に応じた信号を出力する比較部とを備え、上記電圧調整部は、上記比較部の出力信号に応じて、上記駆動電圧の値を調整する構成（第３の構成）としても良い。
【００１８】
本構成によれば、サンプルホールドされた値（オンデューティ時でのＶDOWNの値）と基準電圧値の比較結果に応じて、駆動電圧の値が調整される。そのため例えば、基準電圧値としてＶDOWNにおける理想電圧値を設定しておき、サンプルホールドされた値が基準電圧値を下回っていれば、駆動電圧を上昇させ、逆に上回っていれば、駆動電圧を下降させるようにすれば、ＶDOWNを理想電圧値に近い値に維持することが可能となる。
【００１９】
また上記第１から第３の何れかの構成において、上記駆動電圧を昇圧させる昇圧手段を設けた構成（第４の構成）としても良い。このように昇圧手段（例えばチャージポンプやスイッチングレギュレータ等）を備えていれば、駆動電圧を電源の出力レベルよりも高い状態に調整することが可能となる。
【００２０】
また上記第１から第３の何れかの構成において、上記昇圧手段は、所定の周期電圧の値と上記サンプルホールド部のホールド値との比較結果に応じてスイッチングするスイッチング素子と、該スイッチング素子のターンオン時にエネルギーを蓄積し、ターンオフ時にエネルギーを放出するインダクタと、を備えたスイッチングレギュレータである構成（第５の構成）としても良い。
【００２１】
本構成によれば、所定の周期信号の電圧値とサンプルホールド部のホールド値との比較結果に応じて、エネルギーの蓄積／放出がなされる。そのため所定の周期信号の電圧値とＶDOWNの値とを比較させることにより、所定の周期信号状態に応じた、昇圧を含めた駆動電圧の調整を容易に実現することができる。
【００２２】
また上記第１から第５の何れかの構成において、上記電流制御部はカレントミラー回路を備え、上記電流の引き込みは、上記カレントミラー回路によりなされる構成（第６の構成）としても良い。このように電流の引き込みがカレントミラー回路によりなされていれば、所定の大きさの電流を引き込むことが、安定的にかつ容易に実現できる。
【００２３】
また第１から第６の何れかの構成に係る電源装置と、上記負荷としてのＬＥＤを備えたＬＥＤ点灯装置（第７の構成）であれば、ＰＷＭ制御によりＬＥＤの輝度を調整可能としながらも、電流制御部に加わる電圧情報を用いて容易に駆動電圧を調整し、電流制御部における消費電力を極力小さくすることが可能となる。
【００２４】
また上記したＬＥＤ点灯装置をバックライトとして用いた、フィールドシーケンシャル方式による画像表示装置であれば、ＰＷＭ周期が非常に短くなるにも関わらず、電流制御部に加わる電圧情報を用いて容易に駆動電圧を調整し、電流制御部における消費電力を極力小さくすることが可能となる。
【発明の効果】
【００２５】
上記したように、本発明に係る電源装置であれば、常にＰＷＭ制御においてオンデューティとなっている時点（電流制御部で電力が消費されている時点）での、上記負荷の下流側であって上記電流制御部の上流側における電圧（ＶDOWN）値に応じて、駆動電圧の値が調整される。そのため、ＶDOWNが電流のＰＷＭ制御により常時変動しているにも関わらず、ＰＷＭ制御におけるオフデューティ時のＶDOWNの情報が、駆動電圧の調整に用いられることを回避することができる。
【００２６】
その結果、ＰＷＭ制御により負荷に供給する電流量を調整するものでありながらも、電流制御部に加わる電圧情報を用いて容易に駆動電圧を調整し、電流制御部における消費電力を極力小さくすることが可能となる。また電源として電池を用いている場合には、電池の寿命を改善するといった効果も得られる。
【発明を実施するための最良の形態】
【００２７】
本発明の一実施形態として、負荷としてのＬＥＤに電力を供給する電源装置を例に挙げて説明する。本電源装置は図１に示すように、電源部１、電流制御部２、サンプルホールド回路３、誤差アンプ４、基準電圧発生手段５等から成る。なお図１にも示すように、電源部１の下流側（ＬＥＤ９のアノード側）の電圧をＶUP、ＬＥＤ９における電圧降下をＶｆ、電流制御部２の上流側（ＬＥＤ９のカソード側）の電圧をＶDOWNとする。
【００２８】
電源部１は、電源１１、電圧調整部１２、チャージポンプ回路１３等から構成される。電源１１は、電池等であって下流側に駆動電圧（電力）を供給する役割を果たす。また電圧調整部１２は、ＦＥＴ［Field Effect Transistor］等から構成され、誤差アンプ４の出力信号に応じて駆動電圧の大きさを調整する役割を果たす。なお駆動電圧の調整内容については、後に詳述する。チャージポンプ回路１３は、昇圧手段として、電源１１の下流に設けている。これにより、駆動電圧の調整がより広範囲かつ容易なものとなっている。また電圧の急変を回避するためのコンデンサ６を、電源部１の下流に設けても良い。
【００２９】
また上述したチャージポンプ回路１３を適用する代わりに、スイッチングレギュレータ回路を用いても良い。スイッチングレギュレータ回路を用いた場合における電源部１の構成を図２に示す。本図のように、誤差アンプ４の出力側はコンパレータ１４の非反転入力端子に接続されている。また三角波発生手段１５の出力側とスイッチング素子１８からの帰還配線は、合流してコンパレータ１４の反転入力端子に接続されている。またコンパレータ１４の出力端子はＲＳフリップフロップ回路１６のＲ入力端子に接続されており、クロック発生器１７の出力側は同じくＳ入力端子に接続されている。
【００３０】
またＲＳフリップフロップ回路１６の出力側はＦＥＴ等からなるスイッチング素子１８のゲートに接続されている。またスイッチング素子１８は、インダクタ１９を介して電源１１に接続されている。またスイッチング素子１８とインダクタ１９の間から配線が分岐しており、下流のＬＥＤ９に接続される。
【００３１】
上記構成により、コンパレータ１４は、誤差アンプ４の出力信号（誤差電圧）が、三角波発生手段１５の発する三角波形の電圧（周期電圧）と帰還電圧との和よりも大きい場合に、ハイレベル信号を出力する。そしてＲＳフリップフロップ回路１６では、コンパレータ１４の出力と、クロック発生器１７によるクロック信号の内容に応じた信号を出力し、スイッチング素子１８の切替を行う。なおＲＳフリップフロップ回路の動作内容は周知であるため説明を省略する。
【００３２】
そしてスイッチング素子１８がターンオンの時は、インダクタ１９に電源１１からのエネルギーが蓄積され、逆にターンオフの時はエネルギーが解放される。開放されたエネルギーによる電力はコンデンサ２０で整流されて下流側に供給されることとなる。このようなスイッチングレギュレータを採用することで、周期電圧の値とサンプルホールド部のホールド値との比較結果に応じて、エネルギーの蓄積／放出がなされる。そのためＶDOWNの状態に応じて、昇圧を含めた駆動電圧の調整を容易に実現することができる。なお、電源１１の出力レベルや負荷の内容等によっては、昇圧手段としてのチャージポンプやスイッチングレギュレータ等を省略しても良い。
【００３３】
電流制御部２は、定電流源２１による基準電流を用いたカレントミラー回路により構成されている。該カレントミラー回路は、定電流源２１を入力とする入力側トランジスタ２３、入力に応じた電流をＬＥＤ９側から引き込む出力側トランジスタ２４、これらの両トランジスタのベースに接続され、該ベースの接地状態を後述するＰＷＭ信号によって切替える接地切替用トランジスタ２５を有している。
【００３４】
該カレントミラー回路により、電源部１から負荷であるＬＥＤ９を介して、所定値の電流を引き込む。このようにカレントミラー回路を用いることで、所定量の電流を安定的かつ容易に引き込むことが可能となり、ひいては、ＬＥＤ９に適量の電流を流すことができる。なお電流の引き込み手段としては他の回路を用いても良く、例えば図３に示すように、定電流源２１によって直接電流を引き込む構成の回路であっても良い。
【００３５】
また電流制御部２には、ＰＷＭ信号を発生させるＰＷＭ制御部２２が設けられている。そして該ＰＷＭ信号は、上述したカレントミラー回路の接地切替用トランジスタのベースに入力される。これによって上記の電流の引き込みは、このＰＷＭ信号がハイレベルの期間にＯＮとなり、逆にローレベルの期間にＯＦＦとなる。そのためＰＷＭ制御部２２により、電流のデューティ比を通じて、電流の見掛け上の大きさ（平均値）を調整することが可能となる。
【００３６】
サンプルホールド回路３は、ＰＷＭ制御部２２からのＰＷＭ信号を受け取り、該信号の立上りから立下りまでのＶDOWNの値をサンプリングする。そして該信号におけるローレベルパルスの到来期間（すなわちオフデューティ時）は、直前の立下り時におけるサンプル値をそのままホールド（記憶）する。なおこのように、電流のＰＷＭ制御と当該サンプリングを共通のＰＷＭ信号に応じて行わせることで、両者のタイミングを密接に関連させることができ、ひいては、サンプリング処理を、ＰＷＭ制御のオンデューティ時に行なわせることが容易となる。
【００３７】
誤差アンプ４は、サンプルホールド回路３におけるホールド値と、基準電圧発生手段５が発生させる基準電圧値との差（誤差）に比例した値の電圧（以下、適宜「誤差電圧：ＶERR」と称する）を出力する。
【００３８】
基準電圧発生手段５は、ＶDOWNの値としての理想値、すなわち、電流制御部２を駆動させるために必要な最小限の電圧値と同レベルの定電圧（以下、適宜「基準電圧：ＶREF」
と称する）を発生させる。そのためサンプルホールド回路３におけるサンプル値がこの基準電圧を上回っていれば、電流制御部２には必要以上の電圧が加わっており、ひいては、余分な電力が消費されていると認められる。
【００３９】
本実施例の電源装置は上述した構成となっており、電源部１と電流制御部２との間に設けられるべきＬＥＤ９にＰＷＭ制御のなされた電流を供給し、これを点灯させる。また電流制御部２で消費される電力が必要以上に多くならないように、電源部１が供給する駆動電圧を制御することとしている。
【００４０】
次に駆動電圧の制御の流れについて、図４を参照しながら以下に説明する。まずサンプルホールド処理について説明する。ＰＷＭ信号の立上りの到来（ステップＳ１のＹ）により、サンプルホールド回路３がＶDOWNのサンプルホールド処理（ステップＳ２）を開始し、以降、立下りの到来まで該処理が繰り返される。そしてＰＷＭ信号の立下りが到来したら（ステップＳ３のＹ）、次に立上りが到来するまでは、その立下り時（オンデューティ期間の最終時）におけるホールド値を引き続き保持し続ける（ステップＳ４）。
【００４１】
また電圧調整処理については、誤差アンプ４が、現時点でサンプルホールド回路３がホールドしている値と基準電圧値との差に応じた誤差電圧ＶERRを算出し（ステップＳ５）、電圧調整部１２へ出力する。そして電圧調整部１２は、ＶERRの値が０に近づくように、駆動電圧をアナログ的に調整する（ステップＳ６）。すなわちＶERRの値が０より大きいときは、駆動電圧を低下させ、逆に小さいときは、駆動電圧を上昇させる。以上の一連の処理は、本電源装置の作動中において繰り返し継続的になされる。
【００４２】
これにより、ＰＷＭ信号がハイレベルである期間（電流がオンデューティである期間）は、ＶDOWNの値が継続的にサンプルホールドされ、この値が基準電圧値に近づくようにリアルタイムな駆動電圧の調整がなされる。また一方、ＰＷＭ信号がローレベルである期間（電流がオフデューティである期間）は、直前の立下り時における値が引き続きホールドされるから、サンプルホールド回路３は電流がオフしたことによるＶDOWNの大きな変動の影響を受けることは無い。
【００４３】
次に上述した制御内容について、何らかの要因によりＬＥＤでの電圧降下（Ｖｆ）が徐々に減少し始めようとする場合を一例に挙げて、具体的に説明する。この場合におけるＰＷＭ信号、並びに電圧・電流に関するタイミングチャートを図５に示す。図中において（Ａ）はＰＷＭ信号の状態を、（Ｂ）は電圧調整を行う場合（本実施例）における電圧・電流の状態を、（Ｃ）は電圧調整を行わない場合（従来技術）における電圧の状態を各々示す。
【００４４】
図中の（Ｂ）及び（Ｃ）に示すように、Ｖｆの値は徐々に減少しており、Ｖｆ1＞Ｖｆ2＞Ｖｆ3となっている。しかし（Ｂ）によれば、駆動電圧はＶDOWNの値が基準電圧値と等しくなるように調整されるから、ＶDOWNはほぼ一定値（基準電圧値）に保たれている。つまりＶｆの変動の影響は、駆動電圧が調整されることによって吸収され、ＶDOWNの値には殆ど影響を及ぼさない。この点、仮に電圧調整が行われないとすれば、（Ｃ）に示すように、Ｖｆが低下するに伴ってＶDOWNの値が上昇してしまうこととなる。
【００４５】
なお、仮にオフデューティ期間もサンプリングを行うとすれば、サンプル値はオフデューティ期間において大きく上昇することになる。そうすると、このサンプルホールド値が基準電圧値と等しくなるように駆動電圧が調整されるから、駆動電圧は大きく低下することになる。その結果、次にオンデューティ期間が到来した時に駆動電圧を急激に上昇させる必要があり、駆動電圧は非常に不安定となってしまう。そこで本実施例においては、オフデューティ期間中、オンデューティ時のサンプル値を引き続き保持することでサンプルホールド値を安定させ、このような問題を解消している。
【００４６】
以上説明したように、本実施例に係る電源装置であれば、ＶDOWNが電流のＰＷＭ制御により常時変動しているにも関わらず、ＰＷＭ制御におけるオフデューティ時のＶDOWNの情報が、駆動電圧の調整に用いられることを回避することができる。すなわちオフデューティ期間は、サンプルホールド回路により、あたかもオンデューティ時のＶDOWNがフィードバックされて駆動電圧が調整される。
【００４７】
その結果、ＰＷＭ制御により負荷に供給する電流量を調整するものでありながらも、電流制御部に加わる電圧情報を用いて容易に駆動電圧を調整し、電流制御部における消費電力を極力小さくすることが可能となる。そのため、負荷における電圧降下がバラつくような場合であっても、電流制御部で必要以上に電力が消費される事態を防止し得る。
【００４８】
また本電源装置に電気的負荷としてのＬＥＤを設け、ＬＥＤ点灯装置としたものであれば、ＰＷＭ制御によりＬＥＤの輝度を調整可能としながらも、電流制御部に加わる電圧情報を用いて容易に駆動電圧を調整し、電流制御部における消費電力を極力小さくすることが可能となる。
【００４９】
またこのＬＥＤ点灯装置をバックライトとして用いたフィールドシーケンシャル方式による画像表示装置であれば、ＰＷＭ周期が非常に短くなるにも関わらず、電流制御部に加わる電圧情報を用いて容易に駆動電圧を調整し、電流制御部における消費電力を極力小さくすることが可能となる。
【００５０】
なお、上記の実施形態では、電力を供給すべき電気的負荷として１つのＬＥＤを例に挙げて説明を行ったが、これに限定されるものではなく、複数のＬＥＤを負荷とすることや、種々の電気的負荷を対象とすることも可能である。
【００５１】
また、本発明の構成は、上記実施形態のほか、発明の主旨を逸脱しない範囲で種々の変更を加えることが可能である。
【産業上の利用可能性】
【００５２】
本発明は、ＬＥＤ等の電気的負荷に電力を供給する、電源装置に関して有用な技術である。
【図面の簡単な説明】
【００５３】
【図１】本発明の実施例に係る電源装置の構成図である。
【図２】本発明の実施例に係るスイッチングレギュレータの構成図である。
【図３】本発明の実施例に係る、電流制御部の一例に関する説明図である。
【図４】本発明の実施例における、電圧制御の流れ図である。
【図５】本発明の実施例における、電圧調整等のタイミングチャートの一例である。
【図６】従来技術に係る電源装置の構成図である。
【符号の説明】
【００５４】
１、１０１    電源部
２、１０２    電流制御部
３、１０３    サンプルホールド回路（サンプルホールド部）
４、１０４    誤差アンプ（比較部）
５            基準電圧発生手段
６            コンデンサ
９、１０９    ＬＥＤ（電気的負荷）
１１、１１１    電源
１２            電圧調整部
１３            チャージポンプ回路
１４            コンパレータ
１５            三角波発生手段
１６            ＲＳフリップフロップ回路
１７            クロック発生器
１８            スイッチング素子
１９            インダクタ
２０            コンデンサ
２１            定電流源
２２            ＰＷＭ制御部
２３            入力側トランジスタ
２４            出力側トランジスタ
２５            接地切替用トランジスタ
【図１】
2007129862.tif 000003
【図２】
2007129862.tif 000004
【図３】
2007129862.tif 000005
【図４】
2007129862.tif 000006
【図５】
2007129862.tif 000007
【図６】
2007129862.tif 000008